(57)【特許請求の範囲】
【請求項１】
地中に打設されたアンカー地中定着部にアンカー引張部材の一端を固定し、同アンカー引張部材の他端を地上構造物に緊締して地上構造物を安定化する地上構造物の基礎工法に於いて、内部が中空の地上構造物の外形箱体の底面に蛇腹状に折り畳まれて上下方向に伸縮自在とした筒状袋体を取付け、同外形箱体を法面に載置後に前記袋体にモルタル又はコンクリートペースト等の硬化材を圧入し、袋体を硬化材で膨らまして袋体の底面を法面の表面の凹凸に沿って変形させるとともに袋体の上面の高さを伸張して外形箱体を所要の角度で保持し、袋体内の硬化材の硬化後に外形箱体内にコンクリートを流入して地上構造物を構築し、同コンクリートが固化後にアンカー引張部材を緊締して安定した地上構造物を形成することを特徴とする地上構造物の基礎工法。
【請求項２】
袋体の上面及び底面に布を全面的に張付けた請求項１記載の地上構造物の基礎工法。
【請求項３】
地上構造物が法面上に設置されるアンカー引張部材の地上定着部である請求項１又は２記載の地上構造物の基礎工法。
【発明の詳細な説明】
【０００１】
【発明の属する技術分野】
本発明は、地上構築物・その基礎又は法面の地上定着部等の地上構造物を安定して設置し、アンカーによって強固に支持する地上構造物の基礎工法に関し、特に法面の凹凸が大きい場合の地上定着部の構築に有用な技術である。
【０００２】
【従来の技術】
従来、コンクリート製の地上定着部材の下面に膨縮自在な袋を敷いて、同袋にモルタル・コンクリートペースト等の硬化材を圧入して法面の凹凸に密着させる法面アンカーを本出願人は開発した。
しかしながら、袋に硬化材を圧入しても法面の表面に沿って横方向に膨むため袋の外周に拘束枠を必要としていた。又袋体の上方の地上定着部材の不安定な姿勢となって地上定着部の支持力が不足していた。又コンクリート製の地上定着部材を袋体が持ち上げるには高い硬化材注入圧を必要としていた。
【０００３】
【発明が解決しようとする課題】
本発明が解決しようとする課題は、従来のこれらの問題を解消し、垂直方向に伸張し易く水平に拡がらずに地面の凹凸に密着しながらその上方の地上構造物を安定した角度に保持でき、強固な安定した地上構造物の基礎を形成できる地上構造物の基礎工法を提供することにある。
【０００４】
【課題を解決するための手段】
かかる課題を解決した本発明の構成は、
１）  地中に打設されたアンカー地中定着部にアンカー引張部材の一端を固定し、同アンカー引張部材の他端を地上構造物に緊締して地上構造物を安定化する地上構造物の基礎工法に於いて、内部が中空の地上構造物の外形箱体の底面に蛇腹状に折り畳まれて上下方向に伸縮自在とした筒状袋体を取付け、同外形箱体を法面に載置後に前記袋体にモルタル又はコンクリートペースト等の硬化材を圧入し、袋体を硬化材で膨らまして袋体の底面を法面の表面の凹凸に沿って変形させるとともに袋体の上面の高さを伸張して外形箱体を所要の角度で保持し、袋体内の硬化材の硬化後に外形箱体内にコンクリートを流入して地上構造物を構築し、同コンクリートが固化後にアンカー引張部材を緊締して安定した地上構造物を形成することを特徴とする地上構造物の基礎工法
２）  袋体の上面及び底面に布を全面的に張付けた前記１）記載の地上構造物の基礎工法
３）  地上構造物が法面上に設置されるアンカー引張部材の地上定着部である前記１）又は２）記載の地上構造物の基礎工法
にある。
【０００５】
【作用】
本発明では、袋体は折畳み自在にしていることから、硬化材を圧入しても横に拡がることが少なく、上下方向に主に伸長するようにして、上方の外形箱体を所要の角度姿勢にし易くしている。又地上構造物はその外形の中空の軽量の外形箱体の形態で袋体に硬化材を圧入して持ち上げるようにしたので、硬化材の圧入圧力を低くして容易に持ち上げられるようにした。所定の角度に外形箱体を持ち上げ、硬化材が硬化した後に外形箱体内に本来の素材のコンクリートを流入させて地上構造物を構築するようにした。
【０００６】
【発明の実施の形態】
本発明の外形箱体は鋼製・アルミ製が使用でき地上構造物の全外形をとった型枠の場合と、地上構造物の一部又は基礎部分の外形をとってコンクリートでその部分を構築できる型枠状の外形箱体の場合とがある。
本発明の袋体の素材は、モルタル・コンクリートペーストが圧入しても破損がない強度ある防水性素材を選択する。例えば厚み１ｍｍ程の軟質塩化ビニールのシートがよい。又袋体の蛇腹部分に一定ピッチにリング状の拘束ワイヤを周設すると上下方向への膨張の方向性を高めることができる。
又袋体の上面と底面は、岩の角等で切れにくい高強度の布を貼り合せておくのがよい。
【０００７】
【実施例】
以下、本発明の実施例を図面に基づいて説明する。
本実施例は、法面の地上定着部の構築に本発明を使用した例である。
図１は、実施例の地上定着部の外形箱体と袋体を示す平面図である。
図２は、図１のＸ−Ｘ矢視図である。
図３は、図１のＹ−Ｙ断面図である。
図４は、実施例の袋体の底面図である。
図５は、実施例の施工後の状態を示す縦断面図である。
図６は、実施例の工程説明図である。
図中、Ａは法面の地上定着部、１は十字状の鋼製の地上定着部Ａの外形箱体、１ａは同外形箱体１の十字に延びたアーム部、１ｂは同外形箱体１の内部に充填されたコンクリート、１ｃはアンカー引張部材３の地中定着部Ａとの緊締止具、２は軟質塩化ビニール製の台形状の袋体、２ａは同袋体の蛇腹部、２ｂは袋体２の上面と外形箱体１の底面との間に接着された高強度の布、２ｃは袋体２の底面に接着された高強度の布、２ｄは袋体２の底面及びこれに接着した布２ｂ外周に設けた鍔部、２ｅは同鍔部に設けた布連結用ハトメ、２ｆはコンクリート注入ホース、２ｇは蛇腹部２ａの外周に周設した環状ワイヤ、３はアンカー引張部材、４は地中定着部、５ａ，５ｂは外形箱体１の中央のコア部底面に取付けた袋体２と同一構造の蛇腹の中央袋体、６は法面、６ａは法面６の表面、７はコンクリートである硬化材、８はコンクリートである。
この実施例では、アーム部１ａが十字状に延びた鋼製の外形箱体１の各アーム部１ａの底面に袋体２と中央袋体５ａ，５ｂを接着している。この袋体２・中央袋体５ａ，５ｂを取付けた中空の外形箱体１を法面６上に置く。次にコンクリート注入ホース２ｆを介してコンクリートペーストを圧入する。すると袋体２・中央袋体５ａ，５ｂ内に圧入されたコンクリートペーストは袋体２・中央袋体５ａ，５ｂの底面及び上面を加圧し、底面は法面６の表面凹凸に沿うように変形する。上面の加圧力はアーム部１ａを持ち上げる。コンクリートペーストを多く圧入するにつれ、袋体２の蛇腹部２ａは伸ばされて袋体２は上方へ膨張する。充分にコンクリートペーストを圧入して袋体２・中央袋体５ａ，５ｂの底面が法面６の表面６ａに密着し、且つ外形箱体１を所定の姿勢に保持し、コンクリートペーストの圧入を停止し、コンクリート注入ホース２ｆを閉鎖する。
袋体２，中央袋体５ａ，５ｂに圧送したコンクリートペーストが硬化した後に外形箱体１内にコンクリートを流し込んで地上定着部Ａを構築する。又緊締止具１ｃで外形箱体１及びその下位の硬化したコンクリートペーストの入った袋体２・中央袋体５ａ，５ｂを法面に押し付けるように、緊張させた状態で地上定着部Ａを強固に支持する。
この地上定着を終えた状態を図５に示す。このようにコンクリートが入った外形箱体１の下部は、法面６の法面６ａの凹凸に密着したコンクリートペーストが充填固化した袋体２・中央袋体５ａ，５ｂが存在することで地上定着部Ａは強固に法面６に定着できる。しかも地上定着部Ａの角度も法面に安定した角度にでき、地上定着部Ａを安定且つ強固に設置できる。
【０００８】
【発明の効果】
以上の様に、本発明によれば、蛇腹で上下方向に伸縮し易くした袋体を用いることで、法面の表面凹凸に密着し易くし、且つ中空の外形箱体を安定した角度に保持でき易くする。中空の外形箱体を所定角度保持した後硬化材を注入するので、施工が容易となり、強固に法面に固定できる。
【図面の簡単な説明】
【図１】実施例の地上定着部の外形箱体と袋体を示す平面図である。
【図２】図１のＸ−Ｘ矢視図である。
【図３】図１のＹ−Ｙ断面図である。
【図４】実施例の袋体の底面図である。
【図５】実施例の施工後の状態を示す縦断面図である。
【図６】実施例の工程説明図である。
【符号の説明】
Ａ  地上定着部
１  外形箱体
１ａ  アーム部
１ｂ  コンクリート
１ｃ  緊締止具
２  袋体
２ａ  蛇腹部
２ｂ  布
２ｃ  布
２ｄ  鍔部
２ｅ  ハトメ穴
２ｆ  コンクリート注入ホース
２ｇ  ワイヤ
３  アンカー引張部材
４  地中定着部
５ａ，５ｂ  中央袋体
６  法面
６ａ  表面
７  硬化材
８  コンクリート
【図１】
0003913936.tif 000002
【図２】
0003913936.tif 000003
【図３】
0003913936.tif 000004
【図４】
0003913936.tif 000005
【図５】
0003913936.tif 000006
【図６】
0003913936.tif 000007